(57)【特許請求の範囲】
【請求項１】
給水管から供給される水を貯めるための貯水タンクと、
上記貯水タンクの水を家屋内に供給する配管路と、
上記配管路の途中に設けられ、水質を改善するための水質改善手段と、
上記貯水タンクに貯められた水を上記水質改善手段を経由して循環させるための循環路およびポンプと、
上記配管路に接続され、家屋内に供給された水を放出するための水放出手段と、
上記家屋内の異常状態を検知するセンサと、
上記センサの検知出力に基づいて上記配管路の水の流れを許容または阻止するための開閉バルブと、を備えた水処理システムであって、
上記循環路は、その一端が上記貯水タンクに接続され、他端が上記配管路であって上記水質改善手段の下流側に接続されており、かつ上記ポンプは、上記循環路の途中に設けられており、
上記給水管についての断水を検知する断水検知手段と、
上記断水検知手段の検知出力および上記センサの検知出力に基づいて、上記貯水タンク内の水を上記配管路に送り出すように上記循環路を閉鎖し、上記ポンプを駆動する制御手段とをさらに備えることを特徴とする、水処理システム。
【請求項２】
上記水放出手段は、上記配管路から枝分かれした複数の枝管の末端にそれぞれ設けられ、
上記開閉バルブは、上記各枝管の途中にそれぞれ設けられ、
上記センサは、上記各開閉バルブに対応して設けられた、請求項１に記載の水処理システム。
【請求項３】
上記配管路の末端には、水を外部に給水するための給水設備が設けられた、請求項１または２に記載の水処理システム。
【請求項４】
上記貯水タンク内の水位を検知する水位検知手段とをさらに備え、
上記制御手段は、上記水位検知手段によって上記貯水タンク内の水位が所定水位以下に達したことを検知したとき、上記ポンプの駆動を停止する、請求項１ないし３のいずれかに記載の水処理システム。
【請求項５】
上記水質改善手段は、
略筒状のケーシングと、このケーシング内に収容された複数の磁石と、それら複数の磁石同士の間であって、水流と交差する方向の磁力線を発生させる磁界が形成された流水路とを備える、請求項１ないし４のいずれかに記載の水処理システム。
【発明の詳細な説明】
【０００１】
【発明の属する技術分野】
本願発明は、たとえば一戸建て住宅において火災等の消火に利用される水処理システムに関する。
【０００２】
【従来の技術】
従来より、たとえばビルや病院等の建物においては、スプリンクラを用いた消火設備が備えられている。この消火設備は、火災時に、たとえばビルの屋上等に設置された貯水タンクから送られる水を、天井等に設置されたスプリンクラを通じてフロアや各部屋に供給するものであり、供給された水によって消火が行われる。
【０００３】
【発明が解決しようとする課題】
しかしながら、上記スプリンクラを用いた消火設備は、たとえば一戸建て住宅にはほとんど設置されていないのが現状である。一戸建て住宅に設置されない理由としては、以下に示すことが考えられる。
【０００４】
第１に、スプリンクラを用いた消火設備は、貯水タンクに貯められた水を利用して消火を行うが、非常時のために常に貯水タンクに水を充満させておかなければならない。しかし、貯水タンクに長期間水を放置しておくと、貯水タンク内の水が腐敗して不衛生である。第２に、水の腐敗により配管路が目づまりし、いざ火災時に貯水タンクの水を利用するとき、充分に水が供給されないことがある。第３に、水の腐敗を防止するために、たとえば半年ごとに貯水タンク内の水を入れ替えることとしたとき、水の入れ替えのために手間のかかる作業が発生する。このような理由により、たとえば一戸建て住宅には、スプリンクラを用いた消火設備が設置されないことが多かった。
【０００５】
【発明の開示】
本願発明は、上記した事情のもとで考え出されたものであって、たとえば一戸建て住宅にも設置しやすく、火災時においてより効果的に消火を行うことのできる水処理システムを提供することを、その課題とする。
【０００６】
上記の課題を解決するため、本願発明では、次の技術的手段を講じている。
【０００７】
本願発明によって提供される水処理システムによれば、給水管から供給される水を貯めるための貯水タンクと、上記貯水タンクの水を家屋内に供給する配管路と、上記配管路の途中に設けられ、水質を改善するための水質改善手段と、上記貯水タンクに貯められた水を上記水質改善手段を経由して循環させるための循環路およびポンプと、上記配管路に接続され、家屋内に供給された水を放出するための水放出手段と、上記家屋内の異常状態を検知するセンサと、上記センサの検知出力に基づいて上記配管路の水の流れを許容または阻止するための開閉バルブと、を備えた水処理システムであって、上記循環路は、その一端が上記貯水タンクに接続され、他端が上記配管路であって上記水質改善手段の下流側に接続されており、かつ上記ポンプは、上記循環路の途中に設けられており、上記給水管についての断水を検知する断水検知手段と、上記断水検知手段の検知出力および上記センサの検知出力に基づいて、上記貯水タンク内の水を上記配管路に送り出すように上記循環路を閉鎖し、上記ポンプを駆動する制御手段とをさらに備えることを特徴とするものである。
【０００８】
この構成によれば、たとえば火災時に、センサがその異常を検知すると開閉バルブに検出信号を送る。開閉バルブは、この検知出力に基づいてたとえば開状態にする。これにより、貯水タンクに貯められていた水は、給水管からの水圧を受けながら配管路を通じて流れ、スプリンクラによって構成される水放出手段から家屋内に放出され、消火を行うことができる。通常状態において、開閉バルブを閉状態にしておいて予め配管路内に水を充満するようにしておけば、開閉バルブが開状態になることにより、即座に水が放出されるので、迅速に消火を行うことができる。
【０００９】
また、消火に使用される水は、予め貯水タンクに蓄えられたものであり、蓄えられた水は、循環路に設けられたポンプにより循環されながら、水質改善手段を経由することにより水質が改善される。そのため、水を貯水タンク内に長期間放置しておいても、水が腐敗したりすることがない。したがって、その腐敗により配管路が目づまりし、いざ火災時に貯水タンクの水を利用するとき、充分に水が供給されないといったことを解消することができる。さらには、上記構成により水は自動的に水質改善されるため、貯水タンク内の水を入れ替えることも必要としない。したがって、たとえば一戸建て住宅においても充分に適用させることができる水処理システムを提供することができる。さらには、水を放出することにより消火が行われている場合、給水管において断水が生じたときには、給水管から水が供給されなくなる。このような場合は、循環路に設けられているポンプを駆動させることにより、貯水タンクの水を、循環路を通して配管路に強制的に送り出し、消火水に利用することができる。このようにすれば、断水時においても支障なく消火を行うことができる。
【００１０】
本願発明の好ましい実施の形態によれば、水放出手段は、配管路から枝分かれした複数の枝管の末端にそれぞれ設けられ、開閉バルブは、各枝管の途中にそれぞれ設けられ、センサは、各開閉バルブに対応して設けられている。
【００１１】
この構成によれば、たとえば水放出手段、開閉バルブ、およびセンサを家屋内の各部屋ごとに設けるようにすると、各部屋ごとにセンサによる異常の検知が行われ、火災時に水が放出される。そのため、無駄な水を消費することなく各部屋ごとに効率的に消火を行うことができる。
【００１２】
本願発明の他の好ましい実施の形態によれば、配管路の末端には、水を外部に給水するための給水設備が設けられている。ここで、給水設備とは、たとえば台所の給湯設備、風呂やトイレの蛇口等の設備をいう。配管路の末端にそのような給水設備が設けられると、通常状態において配管路に常時水が充満した状態とされたとき、給水設備が使用された場合（たとえば蛇口を開操作した場合）、水は少なくとも配管路の全域を通るように流れるので、水が管路内で長期間滞留されるといったことを防止することができる。
【００１５】
本願発明の他の好ましい実施の形態によれば、貯水タンク内の水位を検知する水位検知手段とをさらに備え、制御手段は、水位検知手段によって貯水タンク内の水位が所定水位以下に達したことを検知したとき、ポンプの駆動を停止する。これにより、貯水タンク内の水が残り少なくなってきたときには、ポンプの駆動を停止するので、このポンプの空転を防止することができる。
【００１６】
本願発明の他の好ましい実施の形態によれば、水質改善手段は、略筒状のケーシングと、このケーシング内に収容された複数の磁石と、それら複数の磁石同士の間であって、水流と交差する方向の磁力線を発生させる磁界が形成された流水路とを備える。上記水質改善手段は、配管路の途中に設けられているため、貯水タンク内の水は、必ずこの水質改善手段を通ることになり、給水設備に水質改善が施された水を供給することができる。
【００１７】
本願発明のその他の特徴および利点は、添付図面を参照して以下に行う詳細な説明によって、より明らかとなろう。
【００１８】
【発明の実施の形態】
以下、本願発明の好ましい実施の形態を、添付図面を参照して具体的に説明する。
【００１９】
図１は、本願発明に係る水処理システムの構成を示す概略図である。この水処理システムは、たとえば一戸建て住宅に適用され、火災の際に消火を行うためのシステムである。この水処理システムは、一戸建て住宅のたとえば庭先等に設置された水処理装置１０と、一端が水処理装置１０に接続され、家屋内に水を供給するための配管路２０と、配管路２０の末端に設けられ、住宅内の各部屋に対して水を放出するためのスプリンクラ３０とによって概略構成されている。
【００２０】
水処理装置１０は、詳細は後述するが、必要に応じて家屋内に水を供給するためのものであり、内部に水を貯めるための貯水タンク４０が設けられている。水処理装置１０は、貯水施設等から一般家庭に向けて水を供給する給水管Ａが接続されるとともに、上記した配管路２０を接続している。
【００２１】
配管路２０は、水処理装置１０から分岐ユニット５０までを結ぶ第１配管路２１と、分岐ユニット５０から家屋の一階に設置された各給水設備Ｂまでを結ぶ第２配管路２２と、分岐ユニット５０から二階に設置された各給水設備Ｂおよび各スプリンクラ３０までを結ぶ第３配管路２３とによって構成されている。分岐ユニット５０は、第１配管路２１を第２配管路２２および第３配管路２３にそれぞれ分岐するものである。また、給水設備Ｂは、たとえば台所の給湯設備やトイレや風呂の蛇口等によって構成されている。
【００２２】
第２配管路２２は、たとえば一階の床下を伝って延び、複数の枝管２２ａが並列に接続されている。それらの枝管２２ａの先端には、各給水設備Ｂがそれぞれ設けられている。
【００２３】
第３配管路２３は、一階および二階の壁面内を伝い、二階の天井裏から二階の壁面内を通って一階の天井裏に延びている。第３配管路２３には、複数の枝管２３ａ，２３ｂ，２３ｃがそれぞれ並列に接続されており、各枝管２３ａ，２３ｂ，２３ｃの先端には、上記したスプリンクラ３０や給水設備Ｂが接続されている。具体的には、二階の天井裏を伝う第３配管路２３に接続された枝管２３ａの先端には、二階の各部屋に対応して各部屋ごとにスプリンクラ３０がそれぞれ設けられている。また、一階の天井裏を伝う第３配管路２３に接続された枝管２３ｂの先端には、一階の各部屋に対応して各部屋ごとにスプリンクラ３０がそれぞれ設けられている。また、一階の天井裏を伝う第３配管路２３に接続された枝管２３ｃには、二階の各部屋に設けられた各給水設備Ｂが設けられている。
【００２４】
ここで、各配管路２２，２３には、給水設備Ｂが接続されているので、通常状態では、各配管路２２，２３には常時水が充満した状態とされている。この実施形態では、特に各配管路２２，２３の末端には、必ず給水設備Ｂが接続されている。これにより、当該給水設備Ｂが使用された場合（たとえば蛇口を開操作した場合）、水は各配管路２２，２３の全域を通るように流れる。そのため、水が管路内で長期間滞留されるといったことを防止することができる。
【００２５】
なお、上記した配管路２０の構成は、あくまでも一例であり、これらの構成に限るものではない。たとえば、第２配管路２２は、一階の床下を伝いそのまま一階の天井裏に延びて、その第２配管路２２にスプリンクラ３０が接続されるようにしてもよい。
【００２６】
スプリンクラ３０は、各部屋内に水を放出するためのものであり、その本体（図示せず）は、たとえば各部屋の天井表面に埋め込まれるようにそれぞれ固定されて設けられ、その表面には複数の吐出口が形成されている。なお、本体は、回転自在に支持されていてもよく、水の放出時に水が広がるように回転駆動されてもよい。
【００２７】
各枝管２３ａ，２３ｂの途中には、枝管２３ａ，２３ｂ内の水の流れを許容または阻止するためのたとえば電磁弁からなる開閉バルブ３１がそれぞれ設けられている。また、各部屋の天井表面であってスプリンクラ３０の近傍には、部屋の異常を検知するための異常検知センサ３２が設置されている。
【００２８】
異常検知センサ３２は、たとえば部屋内の温度が所定温度以上に達したことを検知する温度センサからなる。この異常検知センサ３２が異常を検知すると、開閉バルブ３１にその検知出力が伝えられる。開閉バルブ３１は、通常、閉状態にあるが、異常検知センサ３２からの検知出力に基づいて開閉動作を行い、検知出力が開閉バルブ３１に送られたとき、閉状態から開状態にする。このとき、水が各枝管２３ａ，２３ｂ内に供給されておれば、スプリンクラ３０の吐出口を通して水が部屋内に放出される。
【００２９】
なお、異常検知センサ３２は、上記温度センサに代わり、部屋内の煙を検知するための煙センサおよびその他のセンサが採用されてもよい。煙センサは、光学的に部屋内の空気の透過量を検知するものであってもよいし、空気成分の濃度を検知するものであってもよい。
【００３０】
上記したように、スプリンクラ３０は、たとえば一戸建て住宅の各部屋ごとに設置され、それに伴い、開閉バルブ３１および異常検知センサ３２も各部屋ごとに設置されている。このように、上記機器が部屋ごとに設置されておれば、部屋ごとに異常を検知し、火災時に水を放出することができる。したがって、無駄な水を消費することなく効率的に消火作業を行うことができる。
【００３１】
なお、上記構成において、開閉バルブ３１および異常検知センサ３２は、後述するコントローラ６１に検知信号を与えたり駆動制御されたりするものではなく、独立して動作するものであるが、異常検知センサ３２は、異常を検知したときその旨の信号をコントローラ６１に送るようにしてもよいし、開閉バルブ３１は、コントローラ６１によってそれぞれ個別にあるいは任意の複数個が一斉に駆動制御されるようにしてもよい。
【００３２】
図２は、水処理装置１０の内部構成を示す図である。図３は、水処理装置１０の電気的構成を示す図である。この水処理装置１０は、略直方形状の筐体１１を有し、筐体１１内には、水を貯めるための貯水タンク４０と、一端が給水管Ａに接続され、他端が貯水タンク４０に接続された第１管体部４１と、一端が貯水タンク４０に接続され、他端が配管路２０に接続された第２管体部４２と、貯水タンク４０内の水を循環させるための循環路としての第３管体部４３と、各部の動作を制御するコントローラ６１とが備えられて概略構成されている。
【００３３】
第１管体部４１には、上流側から下流側に向かって、第１開閉バルブＶ１および第１フロースイッチＳ１がそれぞれ取り付けられている。一方、第２管体部４２には、上流側から下流側に向かって、水質改善手段としての磁気ユニット４４、第５開閉バルブＶ５、圧力センサ４５、第２フロースイッチＳ２、および第２開閉バルブＶ２がそれぞれ取り付けられている。
【００３４】
第３管体部４３は、第２管体部４２のうち、第５の開閉バルブＶ５より下流側であって、かつ第２フロースイッチＳ２よりも上流側の部分を貯水タンク４０に繋げるように配管されている。第３管体部４３には、上流側から下流側に向かって、ポンプ４７および第６開閉バルブＶ６がそれぞれ取り付けられている。
【００３５】
第１管体部４１および第２管体部４２は、第３開閉バルブＶ３が取り付けられたバイパス管４７を介して直結されている。バイパス管４７は、給水管Ａから供給されてくる水を貯水タンク４０や磁気ユニット４４等に通すことなく、第１管体部４１から第２管体部４２へ直接送り込む場合に利用される。
【００３６】
第１および第２フロースイッチＳ１，Ｓ２は、第１管体部４１および第２管体部４２の水流またはその停止をそれぞれ個別に検出するものであり、その検出信号はコントローラ６１（図３参照）に与えられる。
【００３７】
貯水タンク４０は、たとえば容積が１５０リットル程度の密閉状容器であり、貯水タンク４０の上部には、エア抜き弁４８が設けられており、第１の管体部４１から供給される水が貯水タンク４０内にスムーズに流入できるようになっている。貯水タンク４０の内部には、貯水タンク４０内の水位を検出するための水位センサ４９が設けられている。水位センサ４９は、貯水タンク４０内の水が所定水量以下に達した状態を検知するものであり、その検知出力は、コントローラ６１に与えられる。
【００３８】
貯水タンク４０の下部には、第４開閉バルブＶ４を備えた水抜管５１が接続されており、貯水タンク４０内の水を、この水抜管５１を用いて外部に排出することが可能となっている。
【００３９】
磁気ユニット４４は、磁気作用により水質を改善するためのものであり、図４に示すように、短管状のケーシング５３と、このケーシング５３内に収容された複数の磁石５４とを具備して構成されている。複数の磁石５４は、たとえば棒状の金属に着磁を施して形成された永久磁石であり、図示しない適当な部材によって支持固定されている。複数の磁石５４同士の間には、ケーシング５３の軸長方向に延びた複数の流水路５５が形成されている。複数の磁石５４は、互いに異なる磁極同士が対面するように配列されており、流水路５５には、この流水路５５内を水が流れる方向とは直交する方向の磁力線を発生させる磁界が形成される。磁気ユニット４４は、ケーシング５３の両端に設けられているフランジ部５６を利用することにより、図２に示すように、第２管体部４２の途中に組み込まれている。なお、複数の磁石５４は、その配列が図示のものに限定されず、要は、流水路５４を挟んで互いに異なる磁極が対面するように配されておれば、どの様に配されていてもよい。
【００４０】
第５開閉バルブＶ５および第６開閉バルブＶ６は、たとえば電磁弁からなり、コントローラ６１からの開閉指示信号により開閉動作を行う。
【００４１】
ポンプ４７は、貯水タンク４０の水を第２管体部４２に向けて吐出するために設けられたものであり、コントローラ６１による駆動信号により駆動制御される。
【００４２】
圧力センサ４５は、第２管体部４２内の圧力を検知するものであり、この検知出力はコントローラ６１に与えられる。
【００４３】
コントローラ６１は、この水処理装置１０の各部の動作制御を行うためのものであり、たとえばマイクロコンピュータ、動作プログラムが記憶されたメモリ、およびタイマ（いずれも図示せず）等が具備されて構成されている。コントローラ６１は、各フロースイッチＳ１，Ｓ２、圧力センサ４５、および水位センサ４９からの検知信号を入力し、必要に応じて各開閉バルブＶ５，Ｖ６の開閉制御およびポンプ４７の駆動制御を行う。
【００４４】
次に、この水処理システムの動作、およびコントローラ６１の具体的な動作制御を説明する。
【００４５】
まず、火災等が発生していない通常状態について説明する。通常状態においては、コントローラ６１は、第５開閉バルブＶ５を開状態にしているとともに、第６開閉バルブＶ６を閉状態にしている。このようにしておくと、第１ないし第３配管部２１〜２３内、すなわち、各枝管２３ａ，２３ｂに設けられた開閉バルブ３１の手前まで水を充満させておくことができ、給水管Ａからの水圧を作用させる状態としておくことができる。
【００４６】
いずれかの給水設備Ｂにおいて開操作されたときには、上記水圧によっていずれかの枝管２３ａ，２３ｂに充満していた水、もしくは貯水タンク４０内の水を給水設備Ｂに供給することができる。このとき、貯水タンク４０内の水は、第２管体部４２を通過することにより磁気ユニット４４によってその水質が改善される。
【００４７】
次いで、給水設備Ｂが開操作された後に閉操作されると、第２フロースイッチＳ２は、第２管体部４２内の水流の発生とその水流の停止を検知し、これら一連の動作の検知信号がコントローラ６１に送出される。これにより、コントローラ６１は、タイマをセットするとともに、第６開閉バルブＶ６を開状態に切替えてから、ポンプ４７を所定時間（たとえば２時間）だけ駆動させる制御を実行する。なお、この場合、コントローラ６１は制御手段として機能する。
【００４８】
上記したコントローラ６１の動作制御により、図２の矢印Ｃに示すように、貯水タンク４０内の水を、第３管体部４３から第２管体部４２内に送り込んで磁気ユニット４４内に通過させてから、貯水タンク４０内に戻すように、一定の径路で循環させることができる。この循環過程において、磁気ユニット４４内を水が通過するときに、その水質が改善される。
【００４９】
このような水の循環動作は、給水設備Ｂの閉操作の終了の都度なされる。したがって、給水設備Ｂから水が排出されたことに伴って、第１管体部４１から貯水タンク４０内に新たな水が流入しても、この新たな水に対しては、磁気ユニット４４を利用した処理を早期に施すことが可能となり、貯水タンク４０内には常に充分な処理を終えた水を貯めておくことが可能となる。
【００５０】
そのため、水質改善が不十分な水が給水設備Ｂから排出されるおそれを少なくすることができる。ポンプ４７の駆動は、所定時間を経過するとコントローラ６１の指令により停止される。これにより、ポンプ４７の無駄な運転を回避することができ、水処理装置のランニングコストを低減化することもできる。
【００５１】
また、貯水タンク４０内に蓄えられた水は、火災時の消火に使用されるが、蓄えられた水は、上記したように磁気ユニット４４およびポンプ４７により、循環されながら水質が改善される。そのため、貯水タンク４０内に水を長期間放置しておいても、水が腐敗したりすることがない。したがって、その腐敗により配管路２０が目づまりし、いざ火災時に貯水タンク４０の水を利用するとき、充分に水が供給されないといったことを解消することができる。さらには、給水設備Ｂにおける開閉操作により、水は自動的に水質改善されるため、水を入れ替えることも必要としない。したがって、たとえば一戸建て住宅においても充分に適用させることができる、水処理システムを提供することができる。
【００５２】
次に、上記制御が行われている際に、火災等が発生した場合を説明する。たとえば各部屋ごとに設置されている異常検知センサ３２のいずれかが煙を検出したとする。この場合、異常検知センサ３２は、即座に、開閉バルブ３１にその旨を出力する。開閉バルブ３１は、この検知信号を受けると閉状態から開状態にし、これにより、スプリンクラ３０から部屋内に水が放出される。このとき、第３配管路２３の各枝管２３ａには水圧が作用され水が充満されているので、水は瞬時に部屋内に放出される。そのため、スプリンクラ３０による消火作業が即座に開始され、火災が広がるおそれをできる限り抑制することができる。
【００５３】
上記消火には、大量の水を必要とされるが、それらの水は、貯水タンク４０から供給される。また、貯水タンク４０には給水管Ａから水が供給されるため、スプリンクラ３０からは絶え間なく水が放出される。
【００５４】
上記水の放出により火災が鎮火した場合には、給水管Ａの元栓を閉めることにより、水の放出を停止させる。なお、コントローラ６１から開閉バルブ３１を再び閉状態にする旨の信号が送られることにより、開閉バルブ３１が閉状態にされるようにしてもよい。
【００５５】
次に、給水管Ａにおいて断水が生じた場合に、火災が発生したときについて説明する。給水管Ａに断水が生じた場合、仮に給水設備Ｂにおいて水の排出がなされることによって第２管体部４２に水流が生じても、給水管Ａからは水が供給されないので、第１管体部４１には水流が生じない。そのため、コントローラ６１は、第２フロースイッチＳ２によって水流が検出されているにもかかわらず、第１フロースイッチＳ１によって水流が検出されていない場合には、給水管Ａに断水が発生していると判断する。この場合、第１および第２フロースイッチＳ１，Ｓ２は、断水検知手段として機能する。
【００５６】
また、給水管Ａの断水が生じると、圧力センサ４５によって検出される圧力も低下する。そのため、コントローラ６１は、圧力センサ４５によって検出される圧力がかなり低下して所定値以下となり、その旨を圧力センサ４５から検知信号として送られた場合にも、給水管Ａに断水が発生していると判断するようにしてもよい。
【００５７】
コントローラ６１は、給水管Ａにおいて断水が発生していると判断している場合、火災が発生したとき、異常検知センサ３２からの検知信号を受け、火災が発生したことを認識する。この場合、給水管Ａからは水が供給されないため、貯水タンク４０内の水を消火水に利用する。そのため、コントローラ６１は、第５開閉バルブＶ５を閉状態に切り換えるとともに、第６開閉バルブＶ６を開状態に切り換え、その後、ポンプ４７を始動させる。
【００５８】
これにより、貯水タンク４０内の水は、第３管体部４３を介して第２管体部４２に強制的に送り込まれることになり、スプリンクラ３０に対して水を供給することができる。このとき、第５開閉バルブＶ５が閉状態とされているため、第２管体部４２に送り込まれた水が給水設備Ｂと反対の方向に流れることを確実に防止することができる。したがって、断水時であっても、水処理装置１０への電力供給が可能である限りは、貯水タンク４０内に貯水されている水を、ポンプ４７を利用して給水設備Ｂから有効に取り出すことができる。
【００５９】
コントローラ６１は、ポンプ４７の駆動中において、貯水タンク４０内の水量が減少した結果、水位センサ４９から所定の検知信号が送出されてきたときには、ポンプ４７の駆動を停止させる。これにより、ポンプ４７の空転を防止し、その保護を図ることができる。
【００６０】
給水管Ａの断水がその後解消された場合には、第１フロースイッチＳ１によって第１管体部４１の水流が検知されるため、コントローラ６１は、これにより断水が解消したと判断し、先に述べた断水のない通常状態の動作モードに移行させる。すなわち、コントローラ６１は、ポンプ４７の駆動を停止させ、第５開閉バルブＶ５を開状態に切り換えるとともに、第６開閉バルブＶ６を閉状態に切り換える。
【００６１】
なお、火災が発生した場合に給水管Ａが断水したときにも、上記した制御と同様に、コントローラ６１は、第５開閉バルブＶ５を閉状態に切り換えるとともに、第６開閉バルブＶ６を開状態に切り換え、ポンプ４７を駆動させて、貯水タンク４０から水を供給するように制御する。
【００６２】
もちろん、この発明の範囲は上述した実施の形態に限定されるものではない。たとえば、第３配管路２３における開閉バルブ３１の取り付け位置は、図５に示すように、各枝管２３ａ，２３ｂに取り付けるのではなく、第３配管路２３の基管に取り付けるようにしてもよい。そして、各部屋に設けられた異常検知センサ３２のうち、いずれかの異常検知センサ３２が異常を検知した場合に、開閉バルブ３１を開状態にする。これにより、各部屋に一斉に水が放出され、消火を行うことができる。この構成によれば、開閉バルブ３１を１つのみ設ければよく、部品コストやその取り付け作業コスト等の低減化を図ることができる。なお、上記の構成の場合、通常状態では、開閉バルブ３１は閉状態とされているので、その下流側には水が供給されないため、給水設備Ｂとは別系統にすることが望ましい。
【００６３】
また、磁気ユニット４４の構成は、本実施形態に限らず、たとえば電気分解用の電極を備えたもの、超音波の照射が可能なもの、水に遠赤外線の照射が可能なもの等種々の構成のものを用いることができる。また、上記した水処理システムは、一戸建て住宅に限らず、マンションやアパート等の他の住宅に適用してもかまわない。
【図面の簡単な説明】
【図１】本願発明に係る水処理システムの構成を示す図である。
【図２】図１に示す水処理装置の内部構成を示す図である。
【図３】水処理装置の電気的構成を示す図である。
【図４】磁気ユニットの内部構成を示す図である。
【図５】水処理システムの他の構成を示す図である。
【符号の説明】
１０  水処理装置
２０  配管路
３０  スプリンクラ
３１  開閉バルブ
３２  異常検知センサ
４０  貯水タンク
４４  磁気ユニット
４７  ポンプ
Ｓ１，Ｓ２  フロースイッチ
Ｖ１〜Ｖ６  開閉バルブ
【図１】
0004601125.tif 000002
【図２】
0004601125.tif 000003
【図３】
0004601125.tif 000004
【図４】
0004601125.tif 000005
【図５】
0004601125.tif 000006